(57)【要約】  事前に対話削減のためのデータベースを人手により構築することなく簡単に対話回数を低減することのできる対話サーバを提供すること。  対話サーバ１００は、一のユーザまたは他のユーザによる入力に基づいた履歴情報を記憶する履歴記憶部である履歴データベース１０５と、一のユーザのユーザ端末２００から入力文章を受信し、そこから入力キーワードを取得する受信部１０１と、入力キーワードを取得すると、当該入力キーワードおよび履歴情報に基づいて検索を行う検索部１０２と、検索部１０２による検索に基づいた応答内容（質問文候補）をユーザ端末２００に送信する送信部と、を備える。
2019207909.tif 000002
【特許請求の範囲】
【請求項１】
ユーザによる入力に対してユーザの追加入力を促す応答を行い、ユーザの入力に応じた応答内容を提供する対話サーバにおいて、
一のユーザまたは他のユーザによる入力に基づいた履歴情報を記憶する履歴記憶部と、  前記一のユーザのユーザ端末から入力キーワードを受け付ける受付部と、
前記入力キーワードを受け付けると、当該入力キーワードおよび前記履歴情報に基づいて検索を行う検索部と、
前記検索部による検索に基づいた応答内容を前記ユーザ端末に送信する送信部と、
を備える対話サーバ。
【請求項２】
前記検索部は、
複数の応答内容を検索した場合には、前記ユーザに追加入力を促すための聞き返しキーワードを取得し、
前記送信部は、前記聞き返しキーワードを前記ユーザ端末に送信する、
請求項１に記載の対話サーバ。
【請求項３】
前記履歴記憶部は、履歴情報として、前記一のユーザまたは他のユーザに提供された応答内容、および当該応答内容の提供頻度を記憶し、
前記検索部は、前記履歴情報における提供頻度に基づいて定められた応答内容を構成するキーワードを用いた検索を行う、
請求項１または２に記載の対話サーバ。
【請求項４】
前記履歴記憶部は、入力キーワードおよびユーザに対して追加入力を促すための聞き返しキーワードを記述した検索経路情報を履歴情報として記憶し、
前記検索部は、前記入力キーワードまたは前記聞き返しキーワードを用いた検索を行う、請求項１または２に記載の対話サーバ。
【請求項５】
前記検索経路情報は、ユーザが最終的な応答内容を取得したときの入力キーワードおよび聞き返しキーワードである、請求項４に記載の対話サーバ。
【請求項６】
前記検索部は、前記履歴情報に基づいて検索された応答内容に対して否定の意図がユーザにより示されると、履歴情報を用いない検索を行う、請求項１〜５のいずれか一項に記載の対話サーバ。
【請求項７】
前記送信部は、前記応答内容を検索するために用いられたキーワードのうち、履歴情報から得られた取得キーワードであること示す情報および入力キーワードであることを示す情報を付与して、前記応答内容とともに前記取得キーワードおよび入力キーワードを送信する、請求項１〜６のいずれか一項に記載の対話サーバ。
【発明の詳細な説明】
【技術分野】
【０００１】
本発明は、入力キーワードに基づいて検索を行う対話サーバに関する。
【背景技術】
【０００２】
下記特許文献１には、自然文で記述された質問への回答の出力を制御し、顧客の質問の意図に合致しない回答を選択するリスクを回避することや、回答の絞り込みを効率的に処理するための質問回答制御プログラムについての記載がある。具体的にはこの特許文献１には、ＦＡＱ検索を行う際において、所定件数以上の検索結果を得た場合には、逆質問または関連質問を行うことにより、該当件数を絞り込むことについての記載がある。
【先行技術文献】
【特許文献】
【０００３】
【特許文献１】特開２０１５−３６９４５号公報
【発明の概要】
【発明が解決しようとする課題】
【０００４】
しかしながら、特許文献１に記載の技術においては、ＦＡＱ検索のための対話を効率的に行うために、質問とその回答をカテゴリー別に管理しておく必要がある。したがって、その作成に大変手間のかかるという問題がある。【０００５】
そこで、上述の課題を解決するために、本発明は、事前に対話削減のためのデータベースを人手により構築することなく簡単に対話回数を低減することのできる対話サーバを提供することを目的とする。
【課題を解決するための手段】
【０００６】
本発明の対話サーバは、ユーザによる入力に対してユーザの追加入力を促す応答を行い、ユーザの入力に応じた応答内容を提供する対話サーバにおいて、一のユーザまたは他のユーザによる入力に基づいた履歴情報を記憶する履歴記憶部と、前記一のユーザのユーザ端末から入力キーワードを受け付ける受付部と、前記入力キーワードを受け付けると、当該入力キーワードおよび前記履歴情報に基づいて検索を行う検索部と、前記検索部による検索に基づいた応答内容を前記ユーザ端末に送信する送信部と、を備える。【０００７】
この構成により、入力キーワードに加えて、履歴情報に基づいて検索を行うことでき、さらなる入力キーワードの入力を不要とする。よって、検索のための対話回数を削減することができる。
【発明の効果】
【０００８】
本発明によれば、検索のための対話回数を削減することができる。
【図面の簡単な説明】
【０００９】
【図１】本実施形態の対話サーバ１００の機能構成を示すブロック図である。
【図２】履歴データベース１０５の具体例を示す図である。
【図３】真理表データベース１０７の具体例を示す図である。
【図４】対話サーバ１００とユーザ端末２００との処理（肯定意図）を示すシーケンス図である。
【図５】ユーザ端末２００における対話画面の具体例を示す図である。
【図６】対話サーバ１００とユーザ端末２００との処理（否定意図）を示すシーケンス図である。
【図７】聞き返しキーワードに対して否定意図を示した場合の対話画面の具体例を示す図である。
【図８】入力キーワードに対して聞き返しキーワードを送ることなく、質問文候補を送信するときの対話画面の例を示す図である。
【図９】変形例における履歴データベース１０５の具体例を示す図である。
【図１０】変形例における対話サーバ１００の処理を示すシーケンス図である。
【図１１】対話サーバ１００のハードウェア構成を示す図である。
【発明を実施するための形態】
【００１０】
添付図面を参照しながら本発明の実施形態を説明する。可能な場合には、同一の部分には同一の符号を付して、重複する説明を省略する。
【００１１】
図１は、本実施形態の対話サーバ１００の機能構成を示すブロック図である。この対話サーバ１００は、ユーザ端末２００から送信された入力キーワードに応じた応答内容である質問文候補を検索して、ユーザ端末２００に送信する装置である。例えば、ＦＡＱ検索システムに用いられる。ユーザは、この対話サーバ１００に対して入力文章を入力することにより、対応する質問文およびその回答を検索することができる。
【００１２】
図１に示されるとおり、対話サーバ１００は、受信部１０１（受付部）、検索部１０２、送信部１０３、履歴情報管理部１０４、履歴データベース１０５、ＦＡＱデータベース１０６および真理表データベース１０７を含んで構成されている。
【００１３】
受信部１０１は、ユーザ端末２００から送信される入力文章から入力キーワードを取得し、または聞き返しキーワードに対する肯定・否定の意図を示す指示情報を受信することで、聞き返しキーワードを入力キーワードとして取得する部分である。
【００１４】
検索部１０２は、受信部１０１により受信された入力キーワード若しくは聞き返しキーワードの肯定・否定指示、および履歴データベース１０５に記憶されている履歴情報に基づいて、真理表データベース１０７を検索する部分である。例えば、検索部１０２は、入力キーワードと履歴情報として記述されているキーワードとを用いて、真理表データベース１０７を検索し、当該入力キーワードと一致する検索キーワードに対応付けられている質問文候補を検索する。なお、受信部１０１が複数の入力キーワードを取得した場合には、その全部の入力キーワードの一致を判断するが、すべてが一致する入力キーワードがない場合には、所定条件を満たした一部の入力キーワード（例えば、質問文候補が所定数以下に絞り込める入力キーワードを選択して）を用いて検索する。
【００１５】
検索部１０２は、質問文候補を絞り切れず、複数の質問文候補を検索した場合には、真理表データベース１０７から所定条件を満たした検索キーワードを取得する。送信部１０３は、取得した検索キーワードを聞き返しキーワードとして送信し、ユーザからの肯定・否定の指示を待つ。
【００１６】
送信部１０３は、検索部１０２により検索された応答内容をユーザ端末２００に送信する部分である。また、送信部１０３は、ユーザに追加入力を促すための聞き返しキーを送信する。
【００１７】
履歴情報管理部１０４は、検索部１０２により検索された応答内容（質問文候補）のうち、ユーザにより肯定指示を受けた応答内容（質問文候補）を取得して、その検索キーワードとともに履歴データベース１０５に記憶する部分である。また、履歴情報管理部１０４は、受信部１０１が取得した入力キーワード、および聞き返しキーワード並びにその肯定・否定の意図情報を履歴データベース１０５に記憶する部分である。
【００１８】
履歴データベース１０５は、ユーザ端末２００による検索履歴を記憶する部分である。具体的には、履歴データベース１０５は、過去にユーザに提供された質問文（応答内容）およびその質問文に対応付けられている検索キーワード並びにその提供頻度を記憶する。図２は、その具体例を示す図である。図２に示されるとおり、質問文、検索キーワード、および提供頻度を対応付けて記憶している。質問文および検索キーワードは、履歴情報管理部１０４により真理表データベース１０７から取得される。なお履歴データベース１０５は、一のユーザ以外の他のユーザの検索履歴を記憶している。
【００１９】
ＦＡＱデータベース１０６は、応答内容である質問文とその回答を記憶するデータベースである。ＦＡＱデータベース１０６は、事前にＦＡＱシステムの運営者により作成される。
【００２０】
真理表データベース１０７は、応答内容である質問文、および質問文から抽出された検索キーワードを記憶するデータベースである。真理表データベース１０７は、検索のために用いられるデータベースであり、ＦＡＱシステムの管理者により作成され、または公知の自然言語解析アルゴリズムに従って抽出された単語に基づいて作成される。
【００２１】
図３は、真理表データベース１０７の具体例を示す図である。図３に示されるとおり、質問文および一または複数の検索キーワードが記述されている。
【００２２】
このように構成された対話サーバ１００の動作について説明する。図４は、対話サーバ１００とユーザ端末２００との処理を示すシーケンス図である。
【００２３】
ユーザ端末２００において、ユーザにより入力文章が入力され送信される（Ｓ１０１）。
【００２４】
対話サーバ１００において、受信部１０１は、入力文章を受信し、当該入力文章から言語解析処理（形態素解析など）を行うことにより、入力キーワードを取得する（Ｓ１０２）。検索部１０２は、入力キーワードを用いて真理表データベース１０７を検索して、一または複数の質問文候補を取得する（Ｓ１０３）。なお、この段階では、候補であることから質問文候補と称しているが、質問文とその内容は変わることはない。
【００２５】
検索部１０２は、取得した質問文候補に基づいて履歴データベース１０５を参照し（Ｓ１０４）、取得した質問文候補のうち、履歴データベース１０５に含まれている質問文候補を取得する（Ｓ１０５）。
【００２６】
検索部１０２は、履歴データベース１０５から質問文候補の提供頻度を取得する（Ｓ１０６）。
【００２７】
ここでは、検索部１０２は、提供頻度が最も高い一の質問文候補を取得する。
【００２８】
検索部１０２は、真理表データベース１０７を参照して、取得した一の質問文候補に対応する検索キーワードのうち、一の検索キーワードを聞き返しキーワードとして取得する（Ｓ１０７）。例えば、検索部１０２は、一の検索キーワードを取得するにあたって、質問文候補を一意に絞り込むことが可能な検索キーワード、または聞き返しキーワードとして選択頻度が高い検索キーワードなどを選択する。なお、聞き返しキーワードの選択基準はこれに限るものではなく、ランダムでもよい。
【００２９】
ユーザ端末２００は、聞き返しキーワードを受信し、表示部（図示せず）に、聞き返しーワードを表示する（Ｓ１０８）。ユーザ端末２００は、ユーザ操作に従って、聞き返しキーワードに対して肯定意図（ＹＥＳ）か、否定意図（ＮＯ）か、のいずれかの選択を受け付け、その旨を送信する（Ｓ１０９）。ここでは、ユーザ端末２００は、肯定意図を送信する。
【００３０】
対話サーバ１００において、受信部１０１は、肯定意図を受信すると（Ｓ１１０）、検索部１０２は、さらに質問文候補の絞り込みが必要であるか（複数の質問文候補を検索したか）、否かを判断する（Ｓ１１１）。本実施形態では、検索部１０２は、さらなる絞り込みは不要であると判断し、送信部１０３は、一の質問文候補を送信する（Ｓ１１２）。
【００３１】
ユーザ端末２００は、質問文候補を表示し（Ｓ１１３）、ユーザ操作により質問文候補に対する肯定・否定を受け付ける（Ｓ１１４）。
【００３２】
対話サーバ１００において、受信部１０１は、肯定・否定の意図を受信する（Ｓ１１５）。ここでは肯定の意図を受信したため、検索部１０２は、質問文候補に対する回答を取得し、当該質問文候補を質問文として、その回答とともにユーザ端末２００に送信する（Ｓ１１６）。
【００３３】
ユーザ端末２００は、質問文とその回答を受信し、表示する（Ｓ１１７）。
【００３４】
なお、処理Ｓ１０５において、履歴データベース１０５から取得した質問文候補に基づいて、聞き返しキーワードの候補が残り一つだけとなってしまったと判断される場合、すなわち、質問文候補が一つだけになったと判断される場合、処理Ｓ１０７における聞き返しキーワードの取得処理を行うことなく、当該残った質問文候補を送信してもよい。
【００３５】
また、上述シーケンス図のＳ１０３〜Ｓ１０５において、真理表データベース１０７を参照したのち、履歴データベース１０５を参照して検索をしたが、履歴データベース１０５を先に参照して検索処理を行ってもよい。その場合、真理表データベース１０７の検索処理をスキップすることができる場合がある。
【００３６】
図５に、上述処理に基づいたユーザ端末２００における対話画面の具体例を示す。図５（ａ）は、履歴データベース１０５を参照しないで処理する対話画面（従来方法に相当）を示し、図５（ｂ）は、履歴データベース１０５を参照しないで処理する対話画面を示す。
【００３７】
図５（ａ）に示されるとおり、ユーザ端末２００において、吹き出しｕ１のとおり、ユーザは入力文章「操作方法教えて」を入力する。対話サーバ１００は、これに基づいて入力キーワードを抽出し、真理表データベース１０７から聞き返しキーワードとして、「端末Ｂ」を抽出し、「「端末Ｂ」ですか？」をユーザ端末２００に送信する（吹き出しｓ１）。
【００３８】
ユーザ端末２００において、その聞き返しキーワードに対して否定意図を返し（吹き出しｕ２）、対話サーバ１００において、さらにつぎの聞き返しキーワードである「端末Ａ」を抽出し、「「端末Ａですか？」をユーザ端末２００に送信する（吹き出しｓ２）。
【００３９】
ユーザ端末２００において、その聞き返しキーワードに対して肯定意図を返し（吹き出しｕ３）、対話サーバ１００において、質問文候補を抽出し、「「端末Ａの操作方法」の回答を表示しますか？」をユーザ端末２００に送信する（吹き出しｓ３）。ここでは、さらに取得済みキーとして、「端末Ａ」、「操作方法」も送信される。この取得済みキーは、検索に用いられたキーワードを示す。
【００４０】
ユーザ端末２００において、肯定意図を返す（吹き出しｕ４）。その後、その回答が表示される。
【００４１】
これに対して、履歴データベース１０５を用いた対話画面を図５（ｂ）に示す。図５（ｂ）に示されるとおり、ユーザ端末２００から送信された吹き出しｕ１「操作方法教えて」に対して、対話サーバ１００は、真理表データベース１０７を参照処理し、一または複数の質問文候補を取得した後、履歴データベース１０５の参照処理ｐ１を行う。なお、参照処理ｐ１は、説明の便宜上、対話画面に図示しているが、実際には表示されることはない。
【００４２】
参照処理ｐ１は、上述図４における処理Ｓ１０４に相当する処理である。ここでは、対話サーバ１００（検索部１０２）は、入力キーワードに基づいて取得された一または複数の質問文候補から、さらに、履歴データベース１０５を参照して、質問文候補を絞り込む処理を行う。図２においては、「端末Ａ」が絞り込まれた質問文候補の検索キーワードとして対応付けられており、対話サーバ１００（送信部１０３）は、この検索キーワードを聞き返しキーワードとして送信する（吹き出しｓ１ａ）。
【００４３】
以降、図５（ｂ）に示されるとおり、吹き出しｕ２ａ、吹き出し３ａ、吹き出しｕ３に示されるとおり、対話処理がなされ、質問文候補が絞られる。
【００４４】
図５（ａ）に示される対話処理と比較して、図５（ｂ）に示される対話処理は、その回数が少ないことが分かる。
【００４５】
つぎに、履歴データベース１０５を参照して取得した聞き返しキーワードが否定された場合の処理について説明する。図６は、その処理を示すシーケンス図である。
【００４６】
処理Ｓ１０１〜処理Ｓ１０９までは、図４と同じである。対話サーバ１００において、受信部１０１は、ユーザ端末２００から、聞き返しキーワードに対する否定意図の指示を受信すると（Ｓ１１０ａ）、検索部１０２は、当該聞き返しキーワードを除いた他の検索キーワードを含んだ質問文候補が一つに絞られるか判断する（Ｓ１１１ａ）。ここでは、絞り込めないと判断し、さらに、検索部１０２は、真理表データベース１０７から他の検索キーワードを取得し、送信部１０３は、聞き返しキーワードとしてユーザ端末２００に送信する（Ｓ１１２ａ）。なお、処理Ｓ１１１ａにおいて、否定意図を受信することで、質問文候補が一つに絞り込められたと判断できる場合には、当該質問文候補を送信する。
【００４７】
例えば、処理Ｓ１０５において取得した質問文候補が２つしかなかった場合などおいて、一方の質問文候補の聞き返しキーワードが否定された場合には、もう一方の質問文候補が、ユーザが所望する質問文である可能性が高い。よって、そのような場合には、聞き返しキーワードを再度送ることなく、もう一方を質問文候補として送ってもよい。
【００４８】
ユーザ端末２００において、聞き返しキーワードを表示し（Ｓ１１３ａ）、ユーザはその聞き返しキーワードに対する肯定否定の指示を行う。
【００４９】
以降、対話サーバ１００とユーザ端末２００とは、Ｓ１０７〜Ｓ１１３ａを、質問文候補を絞り込むまで繰り返し行う。対話サーバ１００は、質問文候補を絞り込むと、聞き返しキーワードに変えて、絞り込まれた質問文候補をユーザ端末２００に送信する。
【００５０】
図７は、履歴データベース１０５に基づいて取得した聞き返しキーワードに対して否定意図を示した場合の対話画面の具体例を示す。ユーザ端末２００において、ユーザは、吹き出しｕ１１の通り「操作方法教えて」を入力し、対話サーバ１００に送信する。
【００５１】
対話サーバ１００において、検索部１０２は、真理表データベース１０７および履歴データベース１０５を参照して、聞き返しキーワード「端末Ａ」を取得し、ユーザ端末２００に送信する（吹き出しｓ１１）。
【００５２】
ここでユーザ端末２００において、ユーザは聞き返しキーワードに対して、否定意図を返す（吹き出しｕ１２）。
【００５３】
対話サーバ１００において、検索部１０２は、「端末Ｂ」をつぎの聞き返しキーワードとして取得し、それを送信する（ｓ１２）。
【００５４】
ユーザ端末２００において、ユーザは、その聞き返しキーワードに対して肯定意図を示す（ｕ１３）。以降、上述と同様に質問文候補およびその意図のやりとりを行う（吹き出しｓ１３、吹き出しｕ１４）。
【００５５】
なお、聞き返しキーワード「端末Ａ」に対して否定意図を示した場合において（吹き出しｕ１２）、対話サーバ１００が、質問文候補を一つに絞り込める場合には、聞き返しキーワード「端末Ｂ」を送信する事なく、その質問文候補を送信してもよい（吹き出しｓ１３）。すなわち、吹き出しｓ１２をスキップして、吹き出しｓ１３を送信する処理を行ってもよい。
【００５６】
上記対話画面では、履歴データベース１０５から聞き返しキーワードを取得して、それを送信していたが、聞き返しキーワードを送信することなく、その質問文候補を送信してもよい。図８は、入力キーワードに対して聞き返しキーワードを送ることなく、質問文候補を送信するときの対話画面の例を示す。
【００５７】
図８の対話画面において、ユーザ端末２００は、「操作方法教えて」の入力文章を受け付け、対話サーバ１００に送信する（吹き出しｕ２１）。対話サーバ１００では、入力キーワードを取得して、真理表データベース１０７および履歴データベース１０５を参照して、一の質問文候補を取得する。図７は、質問文候補が複数取得されたことを前提にしていたため、その質問文候補を絞り込むために、それら質問文候補のうち一の質問文候補に対応する聞き返しキーワードを送信していた。この例示では、対話サーバ１００は、履歴データベース１０５における提供頻度に基づいて、複数の質問文候補から一の質問文候補を決定している。よって、聞き返しキーワードを送信することなく、一の質問文候補を送信する。
【００５８】
ユーザ端末２００は、対話サーバ１００から送信された、『「端末Ａの操作方法」についての回答を表示しますか？』のメッセージを表示する（吹き出しｓ２１）。なお、図に示されるとおり、取得済みキーとして、「端末Ａ（過去履歴）」、「操作方法（通常）」と表示されている。それぞれ、検索キーワードとしての出所を示す情報（過去履歴、通常）が付与されている。なお、“過去履歴”は、履歴データベース１０５を参照して得られた検索キーワードを示し、“通常”は、真理表データベース１０７から取得された検索キーワードを示す。このような表記は、ユーザに、どのようなキーワードでの検索かを把握させることができる。
【００５９】
このような表記をさせるために、対話サーバ１００は、質問文候補を送信する際において、検索キーワードおよびその出所を示す情報を一緒に送信する。ユーザ端末２００は、それら情報を受信することで、吹き出しｓ２１で示されるメッセージを表示することができる。
【００６０】
ここで、ユーザは、否定意図を示すと（吹き出しｕ２２）、対話サーバ１００における検索部１０２は、履歴データベース１０５から選択された検索キーワード（ここでは「端末Ａ」）に代えて、他の検索キーワードを取得する。ここでは、真理表データベース１０７を参照して、「端末Ｂ」を聞き返しキーワードとして取得し、これを送信する。
【００６１】
このように、履歴データベース１０５から取得された検索キーワードを含んだ質問文候補が否定された場合には、その履歴データベース１０５から取得した検索キーワードが、ユーザが所望するものではないと判断できる。したがって、その場合には、検索部１０２は、真理表データベース１０７を参照し、他の検索キーワードを取得して、聞き返しキーワードとしてユーザに確認をとることが好ましい。
【００６２】
つぎに、履歴データベース１０５の変形例を用いた処理について説明する。この変形例は、履歴データベース１０５に、検索経路情報を記憶させ、それに基づいた検索を行う。
【００６３】
図９は、変形例における履歴データベース１０５の具体例を示す。図９に示されるとおり、この履歴データベース１０５は、聞き返しキーワードおよび質問文候補、並びにユーザの応答（入力キーワードを含む）を時系列で対応付けて記憶している。なお、時系列で対応付ける必要は必ずしもなく、単に聞き返しキーワード、その肯定否定の意図、および最終的に決定された質問文候補を対応付けて記憶してもよい。この履歴データベース１０５は、履歴情報管理部１０４により構築される。
【００６４】
この履歴データベース１０５は、いわゆる検索経路情報を記憶している。図９の例では、一つの検索経路情報のみを示しているが、検索ＩＤごとに、複数の検索経路情報を記憶している。なお、ユーザが入力をして検索結果として質問文及びその回答を得るまでの経路を一つの検索とし、履歴情報管理部１０４は、その検索ごとにＩＤを振って履歴データベース１０５に記憶している。
【００６５】
図９の例では、履歴データベース１０５は、聞き返しキーワードとして、「端末Ｂ」「端末Ａ」の順番で記憶し、最後の順位には質問文候補として「端末Ａの操作方法」を記憶している。一方、入力キーワードとして「操作方法」を記憶し、また「端末Ｂ」に対して「いいえ」、「端末Ａ」に対して「はい」、質問文候補「端末Ａの操作方法」に対して「はい」の肯定否定の意図を記憶している。
【００６６】
つぎに、この検索経路情報を記憶する履歴データベース１０５を用いた処理について説明する。図１０は、その処理を示すシーケンス図である。処理Ｓ１０１〜Ｓ１０２、Ｓ１０８以降は、図４等と同じである。図１０に示す通り、対話サーバ１００において、受信部１０１が入力キーワードを取得すると、検索部１０２は、履歴データベース１０５を参照して、当該取得した入力キーワードに対応する一または複数の検索経路情報を取得する（Ｓ１０３ａ）。
【００６７】
図９の例では、検索部１０２は、ユーザ端末２００からの入力キーワード「操作方法」をキーにして、履歴データベース１０５から、一または複数の検索経路情報を取得する。つぎに検索部１０２は、肯定意図を示している聞き返しキーワードを取得する（Ｓ１０７ａ）。図９の例では、検索部１０２は、「端末Ａ」を取得する。送信部１０３は、聞き返しキーワードとして「端末Ａ」をユーザ端末２００に送信する。ユーザ端末２００では、その聞き返しキーワードに対する肯定意図を指示した場合には、対話サーバ１００は、履歴データベース１０５を参照して、肯定意図に対応する質問文候補を取得し、ユーザ端末２００に送信し、質問文およびその回答をユーザ端末２００に提供する（Ｓ１０８〜Ｓ１１７）。  なお、対話サーバ１００は、処理Ｓ１１０において、否定意図の指示を受けた場合には、他の検索経路情報をＳ１０３ａで取得していれば、当該他の検索経路情報における肯定意図に対応する聞き返しキーワードをユーザ端末２００に送信する。なお、これに限らず、履歴データベース１０５を参照することなく、真理表データベース１０７から聞き返しキーワードを取得してもよい。
【００６８】
また、処理Ｓ１１２において、質問文候補を絞り込めない場合には、さらに、検索部１０２は、肯定意図を示したキーワードを聞き返しキーワードとして履歴データベース１０５から取得し、送信することが好ましい。
【００６９】
なお、この変形例における履歴データベース１０５が、時系列順に聞き返しキーワードを記憶している場合には、その順に肯定意図に対応する聞き返しキーワードを取得することが好ましい。
【００７０】
上述説明では、検索部１０２は、入力キーワードに対して一の検索経路情報を取得しているが、当然に複数の検索経路情報を取得する場合がある。その場合には、それぞれの検索経路情報における肯定意図の聞き返しキーワードを順番に選択することで、早期に質問文候補を絞り込むことができる。また、入力キーワードおよび聞き返しキーワードの組合せが一致した時点で一の質問文候補に絞り込めた場合には、その質問文候補を選択してもよい。
【００７１】
つぎに、本実施形態の対話サーバ１００の作用効果について説明する。本実施形態の対話サーバ１００は、ユーザによる入力に対してユーザの追加入力を促す応答（聞き返しキーワードの送信）を行い、ユーザの入力に応じた応答内容（質問文または質問文候補）を提供する対話サーバである。
【００７２】
この対話サーバ１００は、一のユーザまたは他のユーザによる入力に基づいた履歴情報を記憶する履歴記憶部である履歴データベース１０５と、一のユーザのユーザ端末２００から入力文章を受信し、そこから入力キーワードを取得する受信部１０１と、入力キーワードを取得すると、当該入力キーワードおよび履歴情報に基づいて検索を行う検索部１０２と、検索部１０２による検索に基づいた応答内容（質問文候補）をユーザ端末２００に送信する送信部と、を備える。
【００７３】
この構成により、対話サーバ１００は、入力キーワードに加えて、履歴情報に基づいて検索を行うことで、さらなる入力キーワードの入力を不要とし、よって、検索のための対話回数を削減することができる。
【００７４】
検索のための対話回数を削減するということは、すなわち対話サーバ１００の制御処理を司るプロセッサの処理負荷を軽減するものである。さらに、対話サーバ１００とユーザ端末２００とが通信網を介して通信接続されている場合には、その通信網のトラフィック量を減らすことができ、ネットワーク負荷を軽減することができる、という効果を奏する。
【００７５】
また、対話サーバ１００における検索部１０２は、複数の応答内容を検索した場合には、ユーザに追加入力を促すための聞き返しキーワードを取得し、送信部１０３は、聞き返しキーワードをユーザ端末２００に送信する。
【００７６】
この構成により、履歴情報のみでは質問文候補などの応答内容を絞り込みができない場合においても、当該応答内容の絞り込みを可能にする。
【００７７】
また、対話サーバ１００において、履歴データベース１０５は、履歴情報として、一のユーザまたは他のユーザに提供された応答内容、および当該応答内容の提供頻度を記憶する。検索部１０２は、履歴情報における提供頻度に基づいて定められた応答内容を構成するキーワードを用いた検索を行う。
【００７８】
この構成により、履歴情報として記憶されている応答内容（質問文候補）の提供頻度に基づいてキーワードを選択することで、ユーザが所望する可能性の高い応答内容（質問文候補）を提供することができる。したがって、不必要な対話を回避し、検索のための対話回数を削減することができる。
【００７９】
また、対話サーバ１００において、履歴データベース１０５は、入力キーワードおよびユーザに対して追加入力を促すための聞き返しキーワードを記述した検索経路情報を履歴情報として記憶する。検索部１０２は、入力キーワードまたは聞き返しキーワードを用いた検索を行う。
【００８０】
この構成により、履歴情報として、聞き返しキーを記憶しておくことで、検索経路を把握でき、その検索経路に基づいて聞き返しキーワードを取得することができる。したがって、検索のための対話回数を削減することができる。
【００８１】
また、対話サーバ１００において、検索経路情報は、ユーザが最終的な応答内容を取得したときの入力キーワードおよび聞き返しキーワードである、ことが好ましい。
【００８２】
最終的な応答内容を取得したものは、正解にたどり着いた検索経路である。したがって、その経路に従った聞き返しキーワードに基づいた検索を行うことで、対話回数を削減することができる。
【００８３】
また、対話サーバ１００の検索部１０２は、履歴情報に基づいて検索された応答内容（質問文候補）に対して否定の意図がユーザにより示されると、履歴情報を用いない検索を行う。
【００８４】
この構成により、履歴情報にしたがった聞き返しキーワードがユーザにより否定されると、履歴情報を用いずに検索を行う。よって、対話回数を削減することができる。
【００８５】
また、対話サーバ１００において、送信部１０３は、応答内容（質問文候補）を検索するために用いられたキーワードのうち、履歴情報から得られた取得キーワードであること示す情報および入力キーワードであることを示す情報を付与して、応答内容（質問文候補）とともに取得キーワードおよび入力キーワードを送信する。
【００８６】
この構成により、ユーザ端末２００において、履歴情報により取得された聞き返しキーワードであることを認識することができる。したがって、ユーザはどのような意図で聞き返しキーワードが送信されたのか知ることができる。
【００８７】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に (例えば、有線及び／又は無線)で接続し、これら複数の装置により実現されてもよい。
【００８８】
例えば、本発明の一実施の形態における対話サーバ１００、ユーザ端末２００などは、本実施形態の処理を行うコンピュータとして機能してもよい。図１１は、本実施形態に係る対話サーバ１００，ユーザ端末２００のハードウェア構成の一例を示す図である。上述の対話サーバ１００，ユーザ端末２００は、物理的には、プロセッサ１００１、メモリ１００２、ストレージ１００３、通信装置１００４、入力装置１００５、出力装置１００６、バス１００７などを含むコンピュータ装置として構成されてもよい。
【００８９】
なお、以下の説明では、「装置」という文言は、回路、デバイス、ユニットなどに読み替えることができる。対話サーバ１００，ユーザ端末２００のハードウェア構成は、図に示した各装置を１つ又は複数含むように構成されてもよいし、一部の装置を含まずに構成されてもよい。
【００９０】
対話サーバ１００，ユーザ端末２００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００９１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、検索部１０２などは、プロセッサ１００１で実現されてもよい。
【００９２】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、対話サーバ１００の検索部１０２は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００９４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の受信部１０１、送信部１０３などは、通信装置１００４で実現されてもよい。
【００９６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９７】
また、プロセッサ１００１やメモリ１００２などの各装置は、情報を通信するためのバス１００７で接続される。バス１００７は、単一のバスで構成されてもよいし、装置間で異なるバスで構成されてもよい。
【００９８】
また、対話サーバ１００，ユーザ端末２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９９】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【０１００】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【０１０１】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１０２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１０３】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【０１０４】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１０５】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１０８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０９】
なお、本明細書で説明した用語及び／又は本明細書の理解に必要な用語については、同一の又は類似する意味を有する用語と置き換えてもよい。
【０１１０】
本明細書で使用する「システム」および「ネットワーク」という用語は、互換的に使用される。
【０１１１】
ユーザ端末などの移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１２】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１１３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１１４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１５】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１１６】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【０１１７】
本明細書において、文脈または技術的に明らかに1つのみしか存在しない装置である場合以外は、複数の装置をも含むものとする。
【符号の説明】
【０１１８】
１００…対話サーバ、１０１…受信部、１０２…検索部、１０３…送信部、１０４…履歴情報管理部、１０５…履歴データベース、１０６…ＦＡＱデータベース、１０７…真理表データベース、２００…ユーザ端末。
【図１】
2019207909.tif 000003
【図２】
2019207909.tif 000004
【図３】
2019207909.tif 000005
【図４】
2019207909.tif 000006
【図５】
2019207909.tif 000007
【図６】
2019207909.tif 000008
【図７】
2019207909.tif 000009
【図８】
2019207909.tif 000010
【図９】
2019207909.tif 000011
【図１０】
2019207909.tif 000012
【図１１】
2019207909.tif 000013
【国際調査報告】
2019207909.tif 000014
2019207909.tif 000015
2019207909.tif 000016
2019207909.tif 000017